(57)【特許請求の範囲】
【請求項１】
分析静電トラップ（１４）での質量スペクトル分析の方法であって、前記分析静電トラップ（１４）は、静電界体積を画定していて、傾斜化されていない電位を各々に有する円形トラップ電極対を含んでいる、分析静電トラップ（１４）での質量スペクトル分析の方法において、
イオンビームを前記分析静電トラップ（１４）の前記静電界体積の中へ、１００イオン振動サイクルより長い期間に亘って、前記トラップ電極の前記電位の傾斜化なしに注入する段階と、
前記イオンビームのイオンを前記分析静電トラップ（１４）の前記静電界体積内に等時性振動のためにトラップする段階と、
前記振動するトラップイオンによって生じる画像電流信号を検出する段階と、
前記検出された画像信号から質量スペクトルを再構築する段階と、を備えている方法。
【請求項２】
前記画像電流信号を検出する段階に先立って前記トラップイオンの運動に働きかける段階を更に備えている請求項１に記載の方法。
【請求項３】
分析静電トラップ（１４）での質量スペクトル分析の方法において、
イオンビームを前記分析静電トラップ（１４）の電界体積の中へ充填サイクルの間に１００イオン振動サイクルより長い期間に亘って注入する段階であって、前記分析静電トラップ（１４）の前記電界体積は２つの格子無しイオンミラー（１５）と当該イオンミラー（１５）の間のドリフト空間（１６）とによって形成されており、前記格子無しイオンミラー（１５）のそれぞれは少なくとも一対の円形トラップ電極を含み、前記充填サイクル中は前記イオンミラー（１５）の各々に静電位が印加される、イオンビームを注入する段階と、
前記イオンビームのイオンを前記分析静電トラップ（１４）の前記電界体積内にトラップする段階と、
短パルス電圧（１８）を印加することによってイオン運動に働きかける段階と、
トラップされた前記イオンの振動の周波数を画像電流回路（１９）によって検出する段階と、を備えている方法。
【請求項４】
前記２つの格子無しイオンミラー（１５）及び当該イオンミラー（１５）の間の前記ドリフト空間（１６）はＺ方向に延ばされており、前記Ｚ方向は局所的に前記分析静電トラップ（１４）の前記電界体積のＸ−Ｙ平面に直交であり、前記充填サイクルは前記分析静電トラップ（１４）の前記電界体積の全ドリフト長さを前記イオンビームの最も軽い（ｍ／ｚ）のイオンで満たす段階を備える、請求項３に記載の方法。
【請求項５】
前記２つの格子無しイオンミラー（１５）及び当該イオンミラー（１５）の間の前記ドリフト空間（１６）はＺ方向に延ばされており、前記Ｚ方向は局所的に前記分析静電トラップ（１４）の前記電界体積のＸ−Ｙ平面に直交であり、前記充填サイクルは前記分析静電トラップ（１４）の前記電界体積の全ドリフト長さを前記イオンビームの最も重い（ｍ／ｚ）のイオンで満たす段階を備える、請求項３に記載の方法。
【請求項６】
前記イオン運動に働きかける段階に先立って、前記方法は、更に、
前記分析静電トラップ（１４）の前記電界体積内のトラップされた前記イオンを等時的に反射して前記充填サイクルを完了させる段階と、
前記充填サイクルの完了次第、前記分析静電トラップ（１４）の前記電界体積の中への前記イオンビーム注入を終結させる段階と、を備えている、請求項３から５の何れか１項に記載の方法。
【請求項７】
前記イオン運動に働きかける段階は、シールド電極間に短い電圧パルスを印加して互いに逆方向に振動する一対のイオンパケットを形成する段階を備えている、請求項３から６の何れか１項に記載の方法。
【請求項８】
前記充填サイクルの後で且つイオン運動が働きかけられる前に平衡段階を提供する段階を更に備えている請求項３から７の何れか１項に記載の方法。
【請求項９】
分析静電トラップ（１４）での質量スペクトル分析の方法において、
無電界領域（１６）によって離間されている反射性電界領域（１５）を有する前記分析静電トラップの静電トラッピング電界を形成する段階であって、前記反射性電界領域（１５）のそれぞれは少なくとも一対の円形トラップ電極を含み、各反射性電界領域には電位が印加されており、当該静電トラッピング電界は第１のＸ方向の等時性イオン振動と横断するＹ方向の移動イオントラッピングを提供するように配列されていて実質的に第３のＺ方向に延ばされている、静電トラッピング電界を形成する段階と、
イオンビームを前記静電トラッピング電界の中へ前記Ｘ方向に対して１乃至３度の傾斜角度で前記分析静電トラップの前記静電トラッピング電界内での１００イオン振動サイクルより長い期間に亘って注入する段階であって、前記イオンビーム注入期間は注入されたイオンが前記分析静電トラップの前記静電トラッピング電界で振動し始める間続く、イオンビームを注入する段階と、
前記イオンビーム注入期間後にトラップイオンの運動に働きかける段階と、
前記トラップイオン運動が働きかけられた後の振動するイオンによって生じる画像電流信号を検出する段階と、
前記検出された画像電流信号を振動周波数のスペクトルへ変換し、（ｍ／ｚ）スペクトルへ変換する段階と、を備えている方法。
【請求項１０】
前記トラップイオンの運動を起こさせる段階は、更に、（ｉ）パルス式イオン励起、（ｉｉ）パルス式イオン分除去、（ｉｉｉ）制限された振動周波数スパン内でのイオンの共鳴励起、（ｉｖ）前記静電トラッピング電界のパルス式拡張又は収縮、及び（ｖ）前記無電界領域内でのイオンパケットのパルス式反発、から成る群より選択されている、請求項９に記載の方法。
【請求項１１】
イオン注入の期間と期間の間に、中間的にイオンを高周波（ＲＦ）電界に蓄積する段階を更に備えている、請求項９又は１０に記載の方法。
【請求項１２】
前記反射性電界領域は、（ｉ）イオンミラーの電界、（ｉｉ）静電セクタの電界、及び（ｉｉｉ）イオンミラーと静電セクタの両方の特徴を有するハイブリッド電界、から成る群より選択された少なくとも１つの電界領域を備えている、請求項９から１１の何れか１項に記載の方法。
【請求項１３】
前記イオンビームを注入する段階は操舵手段（１７）を利用して成し遂げられる、請求項９から１２の何れか１項に記載の方法。
【請求項１４】
前記分析静電トラップの静電界体積を多重化する段階と、
前記イオンビームを前記多重化された静電界体積の間で並行独立質量分析のために単一イオン源か又は複数イオン源のどちらかから分配する段階と、を更に備えている請求項９から１３の何れか１項に記載の方法。
【請求項１５】
前記第３のＺ方向は、
円形状に延ばされている、又は、
直線状に延ばされている、のどちらかである、請求項９から１４の何れか１項に記載の方法。
【請求項１６】
静電トラップ質量分析計において、
イオンビームを形成するためのイオン源（１２）と、
無電界領域（１６）によって離間されている反射性領域（１５）を有する分析静電トラップ（１４）であって、前記反射性領域（１５）は電位を受け取り、前記反射性領域（１５）のそれぞれは当該分析静電トラップ（１４）の第１のＸ方向の等時性イオン振動と当該分析静電トラップ（１４）の第２のＹ方向の空間的閉じ込めを提供するための少なくとも一対の円形トラップ電極を含み、当該分析静電トラップ（１４）は実質的に第３のＺ方向に延ばされているＸ−Ｙ平面を有している、分析静電トラップ（１４）と、
前記反射性領域（１５）のどちらかへ印加される前記電位の傾斜化なしに、前記イオンビームを前記分析静電トラップ（１４）の中へ１００イオン振動サイクルより長い期間に亘って導入するために制御されるよう構成される、注入光学素子と、
前記分析静電トラップ（１４）の中へ前記イオンビームを注入する期間に亘って前記イオンビームを前記分析静電トラップ（１４）の前記Ｘ−Ｙ平面内で前記Ｘ方向に対して１乃至３度の傾斜角度で方向決めするためのイオン操舵手段（１７）と、
前記分析静電トラップ（１４）内にトラップされたイオンの少なくとも一部の運動に働きかけるための手段（１８）と、
前記分析静電トラップ（１４）内の移動イオンによって生じる画像電流信号を測定するための検出器と、を備えている静電トラップ質量分析計。
【請求項１７】
イオンを蓄積するように及び前記イオンビームの周期的放出を提供するように配列されている高周波イオンガイド（１３）を更に備えている請求項１６に記載の静電トラップ質量分析計。
【請求項１８】
前記運動に働きかけるための手段（１８）は、前記分析静電トラップ（１４）内にトラップされた前記イオンの少なくとも一部の前記運動に、（ｉ）パルス式イオン励起、（ｉｉ）パルス式イオン分除去、（ｉｉｉ）制限された振動周波数スパン内でのイオンの共鳴励起、（ｉｖ）トラッピング電界のパルス式拡張又は収縮、及び（ｖ）前記無電界領域内でのイオンパケットのパルス式反発、のうちの１つによって働きかけるように配列されている、請求項１６又は１７に記載の静電トラップ質量分析計。
【請求項１９】
前記分析静電トラップ（１４）の前記反射性領域（１５）は、（ｉ）イオンミラーの電界、（ｉｉ）静電セクタの電界、及び（ｉｉｉ）イオンミラーと静電セクタの両方の特徴を有するハイブリッド電界、から成る群より選択された少なくとも１つの電界領域を備えている、請求項１６から１８の何れか１項に記載の静電トラップ質量分析計。
【請求項２０】
検出器信号波形から質量スペクトルを再構築するための手段を更に備えている請求項１６から１９の何れか１項に記載の静電トラップ質量分析計。
【請求項２１】
前記第３のＺ方向は、
円形状に延ばされている、又は、
直線状に延ばされている、のどちらかである、請求項１６から２０の何れか１項に記載の静電トラップ質量分析計。
【請求項２２】
前記分析静電トラップ（１４）の前記反射性領域（１５）は電極を備えており、前記電極は、（ｉ）静電トラップ電極が平行で直線状に延ばされている平面対称、及び（ｉｉ）円形の静電トラップ電極が中空円柱形電界体積を形成することによって形成されている円柱対称、から成る群より選択された１つの電界対称を有する実質的に二次元の静電界を提供している、請求項１６から２１の何れか１項に記載の静電トラップ質量分析計。
【発明の詳細な説明】
【技術分野】
【０００１】
本開示は、概括的には、質量分光分析及び静電トラップの分野に、そしてまた連続イオ
ン注入を用いる静電トラップに、関する。
【背景技術】
【０００２】
既知の静電トラップ（Ｅトラップ）は、移動するイオンの不定空間的閉じ込め（トラッ
ピング）のため及び等時性の高いイオン振動を整備するために静電界を採用している。イ
オンパケットがＥトラップ電界の中へ注入され、イオン振動周波数が画像電流検出器によ
って検出される。次いで、イオン質量対電荷比（ｍ／ｚ）が較正実験で求められるが、こ
れは振動周波数Ｆが（ｍ／ｚ）１／２に比例しているからである。フーリエ変換（ＦＴ）
によって信号波形からスペクトルが再構築されることになる。
【０００３】
ここに参考文献として援用する米国特許第６０１３９１３Ａ号、同第５８８０４６６号
、及び同第６７４４０４２号は、等時性イオントラッピングのための同軸イオンミラーを
採用しているＩ経路Ｅトラップを記載しているようである。イオンパケットは、パルス式
イオンミラーを介してパルス式に注入されている。記載されている技法は、低い空間電荷
容量に苦しんでいるように見える。１Ｅ＋４イオンより多くのイオンが注入されるとイオ
ンパケットの自己集群化と凝集が引き起されかねない。
【０００４】
ここに参考文献として援用する英国特許第２４１８５２８号は、半径方向イオン閉じ込
めに高周波電界を利用しているＩ経路イオントラップを記載しているようである。このシ
ステムは、Ｉ経路トラップの限られた空間電荷容量と乏しい画像電流検出の組合せのせい
で非実用的といえよう。
【０００５】
ここに参考文献として援用する米国特許第５８８６３４６号は、円柱形トラップを超対
数的静電界と組み合わせて使用している軌道トラップを記載しているようである。記載さ
れている様に、外部イオン源から静電軌道トラップ体積の中へのイオンの注入には、必然
的に分析静電界を傾斜させることが付随しており、というのも、そうでなければイオンが
トラップ電極にぶつかることになるからである。電位傾斜化は電位安定性と対立するため
、電位傾斜化と組み合わせての長時間注入はイオンパラメータ対イオン質量の変動を引き
起こし、結果として、スペクトルに多数のアーチファクトが生じる。そういう訳で、最適
パラメータは、注入イオンパケットの持続時間が１００ｎｓ程度のパルス式イオン注入を
用いて実現されてきた（ここに参考文献として援用するマカロフ他、ＪＡＳＭＳ、第２０
巻（２００９年）第８号、１３９１−１３９６ページ（Makarov et al, JASMS., v.20(20
09)#8, pp 1391-1396））。このパルス式注入は、空間電荷容量を増加させ高調波信号を
最小限に抑えるために望ましいとされる、体積が拡大され寸法が十分に制御されたイオン
パケットの形成を、複雑にしかねない。
【０００６】
ここに参考文献として援用する米国特許第７９９４４７３号は、三次元静電界内での往
復イオン運動を整備することを記載しているようである。しかし、当該システム内の壁で
起こるイオン損失を回避するのに、イオン注入にはやはり静電位を傾斜させることが必要
らしい。図３ＢはＺ軸に沿った側方イオンエクスカーションを防止しているようであるが
、電位傾斜化が依然としてより限定された注入時間を生んでいる。加えて、この電位傾斜
化は、時間によって変化するパワー供給の安定性の低さのせいで、質量の精度（１００万
分の１）に影響を及ぼす傾向がないともいえない。
【０００７】
ここに参考文献として援用する同時係属ＷＯ特許出第２０１１０８６４３０号には、静
電トラップのＥトラップ空間電荷容量を、先に引用した軌道型及び三次元型Ｅトラップと
比べて何桁も改善するものと期待されている拡張型Ｅトラップが開示されている。提案さ
れている中空円柱幾何学形状は、分析装置の寸法を犠牲にすることなくトラッピング体積
の有意な伸びを提供することができる。しかし、記載されているトラップの効率はパルス
式のイオン注入スキームによって制限される可能性がある。
【０００８】
スペクトル捕捉のスピードは、分析信号が、ここに参考文献として援用するアイジコフ
他、ＪＡＳＭＳ１７（２００６年）８３６−８４３ページ（Aizikov et al, JASMS 17 (2
006) 836-843）に記載されているフィルタ対角化法（ＦＤＭ）を使用すると有意に改善す
る。記載されている方法は、正弦信号を必要としているようであり、そのことが短いイオ
ンパケット注入時の高振動調波に相当するアーチファクト及びピークを持ち込む原因とな
りかねない。
【先行技術文献】
【特許文献】
【０００９】
【特許文献１】米国特許第６０１３９１３Ａ号
【特許文献２】米国特許第５８８０４６６号
【特許文献３】米国特許第６７４４０４２号
【特許文献４】英国特許第２４１８５２８号
【特許文献５】米国特許第５８８６３４６号
【特許文献６】米国特許第７９９４４７３号
【特許文献７】ＷＯ特許出願第２０１１０８６４３０号
【非特許文献】
【００１０】
【非特許文献１】マカロフ他、ＪＡＳＭＳ、第２０巻（２００９年）第８号、１３９１−１３９６ページ（Makarov et al, JASMS., v.20(2009)#8, pp 1391-1396）
【非特許文献２】アイジコフ他、ＪＡＳＭＳ１７（２００６年）８３６−８４３ページ（Aizikov et al, JASMS 17 (2006) 836-843）
【発明の概要】
【発明が解決しようとする課題】
【００１１】
このように、先行技術のＥトラップは、静電トラップのパラメータに影響を及ぼす電荷
の傾斜化又は切り替えが付随するイオンパケットのパルス式注入を採用している。ここに
記載されているシステムは、前述の問題のうち少なくとも１つ又はそれ以上を未然に防ぐ
か又は軽減し、イオン流束スループット及び静電トラップ質量分析計のデューティサイク
ルを改善するものである。
【課題を解決するための手段】
【００１２】
質量スペクトル分析の複数の方法が開示されている。或る実施形態では、方法は、連続
イオンビームを、トラップ電極に静的で傾斜化されていない電位を用いる分析静電トラッ
プの静電界体積の中へ、予め定められた期間に亘って、注入する段階を備えるものである
。他にも可能性はあるが中でも特に、本方法は、ＷＯ特許第２０１１０８６４３０号に記
載されている「拡張型」Ｅトラップに使用することができ、その場合、注入期間をイオン
振動サイクルと比べて１００乃至１０００倍長くすることができる。
【００１３】
或る実施形では、注入期間は、（ｉ）静電トラップ内での少なくとも１００イオン振動
、（ｉｉ）静電トラップ内での少なくとも３００イオン振動、（ｉｉｉ）静電トラップの
ドリフト長さ全体を（ｍ／ｚ）の最も軽いイオンで満たすのに十分な期間、及び（ｉｖ）
前記静電トラップのドリフト長さ全体を（ｍ／ｚ）の最も重いイオンで満たすのに十分な
期間、という群のうちの１つより長い。或る実施形では、本方法は、更に、トラップされ
たイオンの運動を起こさせる（先鋭化）段階を備えている。
【００１４】
或る実施形では、質量スペクトル分析の方法は、
（ａ）無電界領域によって離間されている反射性電界領域を有する静電トラッピング電
界であって、第１のＸ方向の等時性イオン振動と第２の横断するＹ方向の空間的集束によ
る移動イオンの不定トラッピングとを提供していて、実質的に第３のＺ方向に延ばされて
いる、静電トラッピング電界、を形成する段階と、
（ｂ）連続イオンビームを前記トラッピング電界の中へ前記第１のＸ方向に対して小さ
い傾斜角度で前記トラップ内での少なくとも１００イオン振動より長い期間に亘って注入
する段階と、
（ｃ）トラップされたイオンの運動を起こさせる段階と、
（ｄ）振動するイオンによって生じる画像電流信号を検出する段階と、
（ｅ）信号を、振動周波数のスペクトルへ変換し、それに続けてｍ／ｚスペクトルへ変
換する段階と、を備えるものである。
【００１５】
或る実施形では、トラップされたイオンの運動を起こさせる段階は、（ｉ）パルス式イ
オン励起、（ｉｉ）パルス式イオン分除去、（ｉｉｉ）制限された振動周波数スパン内で
のイオンの共鳴励起、（ｉｖ）前記トラッピング電界のパルス式拡張又は収縮、及び（ｖ
）前記無電界領域内でのイオンパケットのパルス式反発、という群のうちの１つの段階を
備えていてもよい。或る実施形では、方法は、前記連続イオン注入の段階と段階の間の高
周波（ＲＦ）電界での中間イオン蓄積を更に備えていてもよい。或る実施形では、反射性
静電界領域は、（ｉ）イオンミラーの電界、（ｉｉ）静電セクタの電界、及び（ｉｉｉ）
イオンミラーと静電セクタの両方の特徴を有するハイブリッド電界、という群のうちの少
なくとも１つの電界領域を備えている。Ｚ方向に延ばされている静電界は、（ｉ）中空円
柱形電界、及び（ｉｉ）等時性エッジ有界電界を具備した平面状電界、という群のうちの
二次元電界を備えていてもよい。質量スペクトル分析を加速するために、或る実施形では
、方法は、更に、静電界体積を多重化する段階と、連続したイオンビームを複数の静電界
体積の中へ並行で独立した質量分析のために単一イオン源か又は複数イオン源のどちらか
から分配する段階と、を含んでいてもよい。或る実施形態では、画像電流信号を周波数ス
ペクトルへ変換する段階は、フーリエ分析又はフィルタ対角化法（ＦＤＭ）のどちらかを
備えている。
【００１６】
静電トラップ質量分析計も記載されている。或る実施形では、その様な分析計は、連続
イオンビームを形成するイオン源、無電界領域によって離間されているイオン反射領域を
有する静電トラップ、を備えていてもよい。或る実施形では、静電トラップ電極の形状及
び電位は、第１のＸ方向の等時性イオン振動と第２のＹ方向の空間的イオン閉じ込めを提
供するよう選択されていてもよく、前記トラップは実質的に第３のＺ方向に延ばされてい
る。
【００１７】
或る実施形態では、分析計は静電トラップ電位の傾斜化なしに連続イオンビームを静電
トラップの中へ導入するために注入光学素子を含んでいてもよい。加えて、前記トラップ
内へのイオンビーム注入期間に亘ってイオンビームをＸ−Ｙ平面内でＸ方向に対して小さ
い傾斜角度で方向決めするために、イオン操舵手段が組み込まれていてもよい。次に、ト
ラップされたイオンの少なくとも一部分の運動を起こさせる手段（先鋭化部）が分析計へ
組み込まれていてもよい。或る実施形では、分析計は、更に、移動するイオン雲によって
生じる画像電流信号を測定する検出器を含んでいてもよい。分析計は、更に、検出器信号
波形から質量スペクトルを再構築するための手段を含んでいてもよい。
【００１８】
或る実施形では、静電トラップは、更に、イオン蓄積と連続イオンビームの周期的放出
のための高周波（ＲＦ）イオンガイドを備えている。或る実施形では、静電トラップは、
（ｉ）少なくとも２つの静電イオンミラー、（ｉｉ）少なくとも２つの静電偏向セクタ、
及び（ｉｉｉ）少なくとも１つのイオンミラーと少なくとも１つの静電セクタ、という群
のうちの１つの電極セットを備えている。電極は、（ｉ）Ｅトラップ電極が平行に直線状
に延ばされている平面対称、及び（ｉｉ）Ｅトラップ電極が円形で中空円柱形電界体積を
形成している円柱対称、という群のうちの一方の電界対称を有する実質的に二次元の静電
界を提供していてもよい。注入光学素子は、（ｉ）Ｅトラップ電極のうちの１つの電極の
開口、（ｉｉ）Ｅトラップ電極の一時的にバイアスされる部分の開口、（ｉｉｉ）無電界
空間と検出器、（ｉｖ）平面的二次元電界を形成する細長い電極のエッジ、及び（ｖ）前
記静電トラップの一部分、という群のうちの１つを備えていてもよい。イオン化手段は、
質量分析計か又は断片化セルを従えたイオン移動度機器のどちらかを備えていてもよい。
電極のセットは、非常に多数のトラッピング静電界を形成する整列したスリットのセット
を備えていてもよく、その場合、前記注入光学素子は、イオン流れを前記トラッピング体
積の間で多重化するための手段を備える。
【００１９】
説明を目的とすることを前提に、これより、添付図面を参照しながら、本発明の様々な
実施形態を配置構成と共に単に一例として説明してゆく。
様々な図面中の同様の符号は同様の要素を表している。
【図面の簡単な説明】
【００２０】
【図１】２つの円形イオンミラーで形成されているトロイダルＥトラップの中への連続イオンビームの注入を描いている。
【図２】多重化されたＥトラップの中への連続イオンビームの注入を描いている。
【発明を実施するための形態】
【００２１】
先行技術の静電トラップ（Ｅトラップ）は、多くの場合、コンパクトなイオンパケット
のパルス式注入を採用している。パルス式スキームでは、（ａ）イオンパケットが微小体
積内に蓄積され、その結果、イオンの空間電荷反発が引き起こされる、（ｂ）イオンパケ
ットが強力な電界で抽出され、その結果、数百電子ボルトという比較的大きなエネルギー
の広がりが引き起こされる、（ｃ）蓄積トラップと分析Ｅトラップの間に飛行時間型分離
が起こることで注入される質量範囲が制限されることがある、及び（ｄ）イオンが分析Ｅ
トラップの中へパルス式に入射させられることでパルス電位及び関連する分析Ｅトラップ
電圧不安定化が生じ得る、ことが原因で、イオンパケットのパラメータが制限される可能
性がある。
【００２２】
或る態様では、一定した静電位を有するＥトラップの中への連続イオンビームの長時間
注入を使用するシステムが提供されている。或る実施形では、イオンビームは、確実にＥ
トラップ体積がイオンで完全に且つ均一に満たされるようにするのを助力するべく、少な
くとも１００イオン振動サイクルに亘って提供されている。或る実施形では、無電界領域
を有するＥトラップが使用されていることとＥトラップが実質的にドリフト方向に沿って
延ばされていることにより、長時間注入が実施可能になっている。或る実施形では、振動
周波数を画像電流検出器によって検出するために、トラップされている移動イオンの集ま
りが次いで「先鋭化」されてもよい。記載されている様々な先鋭化技法は、システムが、
明瞭に画定された（ｍ／ｚ）非依存性の長さを有する引き伸ばされた（Ｅトラップ振動経
路と同程度の）イオンパケットを得られるようにしており、ひいては、信号処理を改善し
、より高次の信号調波を除去することができる。
【００２３】
図１を参照すると、静電トラップ（Ｅトラップ）質量分析計の１つの実施形態１１は、
連続イオン源１２、蓄積のための高周波（ＲＦ）イオンガイド１３、それに続く差動ポン
プ式イオン移送光学素子（図示せず）、ドリフト空間１６によって離隔されている２つの
格子無しイオンミラー１５で形成されている静電中空円柱形トラップ１４、操舵手段１７
、トラップ１４内でイオン運動を起こさせるための手段１８、及びドリフト空間１６の遮
蔽電極へ接続されている画像電流回路１９、を備えている。図は、更に、１４（Ｔ１）及
び１４（Ｔ２）として表示されているＴ１時とＴ２時における瞬間のトラップ１４の輪切
りを示している。
【００２４】
作動時、２つの平面状格子無しイオンミラー１５は、平行に整列していて、遮蔽電極（
点線で示されている）内に配設されている無電界領域１６によって離間されている。或る
実施形では、ミラーは、Ｘ−Ｚ平面に対し対称に設定されている。それぞれのミラーは、
一例として、実質的に二次元の静電界を有する中空円柱形体積を形成するように少なくと
も４対の円形電極（図示せず）で構成されていてもよい。或る実施形態では、それぞれの
ミラーは、引き寄せレンズ電極を備えていてもよい。イオンミラーの中の電界は、Ｙ方向
の空間的イオン集束、Ｙ方向の空間的角度的なビーム発散に対するＸ方向のイオンエネル
ギーについての等時性、及び少なくともテイラー展開２次までのクロスターム収差の補償
、ひいては少なくとも３次までの時間対エネルギー集束の補償、を提供するように、適合
されていてもよい。或る実施形では、少なくとも１対の向かい合うリング電極は、イオン
パケットを半径方向に操舵するように調節可能な電圧バイアスを有しており、この様にし
ながらイオンを周回Ｚ軸付近に引き留める。
【００２５】
イオン源１２は、連続イオンビームを提供していてもよい。イオンビームは、出口端の
ＤＣ反発又はＲＦ反発によって支援されていてイオン射出のサイクルとサイクルの間の衝
突性イオン減衰のために０．０１−１０ｍｂａｒの中間ガス圧力で作動しているトラッピ
ングＲＦガイド１３に蓄積する。トラッピングイオンガイド１３の出口は周期的に開いて
（出口電極について傾斜した電圧プロファイルの記号で図示）、引き伸ばされたイオン流
れを好適には鋭いイオンスパイクを形成することなしに生み出す。或る実施形では、イオ
ン流れは、Ｅトラップ充填サイクル全体に亘って、典型的には数ミリ秒の時間尺度で提供
されている。その結果、連続イオンビーム（太い矢印で図示）は、無電界領域１６及び操
舵手段１７を介し、Ｘ軸に対し小さい角度αで、例えばＸ軸に対して１乃至３度の傾斜角
度で、Ｅトラップ１４に進入する。操舵手段１７は、ミラー電極を迂回するべくＹ方向へ
のイオンビーム変位を提供する。次に、イオンビームは、イオンミラー１５によって反射
され、その結果、周回Ｚ方向に伝搬する。Ｅトラップ１４が長い外周を有している結果と
して、ミラーによる大凡１００乃至３００のイオン反射を経てイオンがトロイダルＥトラ
ップ内で完全に一周し終え注入領域に進入する前に、Ｘ方向への少なくとも１００イオン
振動サイクル又はその程度の長い時間（数ミリ秒）がかかる。１つの方法では、トラップ
されたイオンの外乱を回避するべく、ＲＦトラップ１３は閉じられ、操舵手段１７はオフ
に切り替えられる。そうして、軽いイオンは体積全体を満たし、重いイオンはＥトラップ
体積の一部を満たすことになる。別の方法では、注入サイクルは、ｍ／ｚの最も重いイオ
ンがトラップ体積全体を満たすまで持続する。すると、ｍ／ｚのより軽いイオンは部分的
に失われることになり、注入デューティサイクルはイオン（ｍ／ｚ）の平方根に比例する
。更に別の方法では、振動サイクル当たりイオン変位がＺ方向に操舵手段１７の厚さより
長くなるように、傾斜角度が選定されてもよい。そうすると、イオンビームの相当部分は
操舵手段を迂回し、次の一周を開始することになろう。前述の方法は、より均一な（ｍ／
ｚ）当たりデューティサイクルを可能にすることであろう。充填サイクルが完了すると、
トラッピングガイド１３は閉じ、入来するイオンは次の注入サイクルまでガイド１３内に
貯蔵される。
【００２６】
次の平衡段階では、トラップされたイオンはミラー間で振動を続行している。トラップ
されたイオンはＺ方向に広がって混ざり合い、トラップをＸ方向に均質に満たす。操舵手
段１７（例えば一対の偏向板）は、イオン経路内に電極を存在させないために設けられて
いるものであり、操舵手段はスイッチオフレジームではイオン運動を妨げない。この段階
では、画像電流回路１９上にコヒーレント信号はない。
【００２７】
次の「先鋭化」段階では、Ｔ１時、手段１８は、Ｔ１段階のトラップ１４（Ｔ１）につ
いて示されている様に、トラップされたイオンの運動を起こさせるようにオンに切り替え
られる。或る実施形態では、無電界領域１６内の全てのイオンを偏向させるように短い電
圧パルスが遮蔽電極間に印加される。イオンミラー内でたまたま飛行しているイオンは、
アイコン１４（Ｔ２）に示されている様に対向方向に振動する一対のイオンパケットを形
成する。こうして形成されたイオンパケットの長さはイオン（ｍ／ｚ）に非依存である。
【００２８】
次の「検出段階」では、残留しているイオンの振動が回路１９上に信号波形を生じさせ
る。或る実施形で、波形は、イオン振動の周波数Ｆ、対応する（ｍ／ｚ）値（ｍ／ｚ）〜
Ｆ２を抽出し、そして対応する信号強度、即ち質量スペクトルを抽出するため、フーリエ
変換か又はフィルタ対角化法（ＦＤＭ）のどちらかを用いて分析される。或る実施形では
、典型的な検出段階は、Ｅトラップの寸法及び要求されている分解能に依り、また信号分
析方法に依り、０．０１−１秒持続する。
【００２９】
１つの数値例では、トラップのＸ方向の寸法（ミラーキャップ間距離）は２００ｍｍ、
Ｅトラップの直径は３００乃至５００ｍｍ、加速電圧は８ｋｅＶ、そして目標分解能は１
００，０００である。そうすると、ｍ／ｚ＝１０００ａｍｕイオンについての振動期間は
５ｕｓとなる。ＦＤＭ分析法を使用すれば、信号捕捉は、大凡２０，０００サイクルに亘
って、即ち０．１秒間、持続するはずである。同じ数値例について、イオン充填段階は、
１００乃至１０００反射サイクル、即ち０．５乃至５ｍｓかかる。分析は１００ｍｓかか
るので、中間貯蔵イオンガイドは、０．０５ｍＢａｒまで下げた比較的低いガス圧力では
あるがイオン放出のサイクルとサイクルの間の衝突性イオン減衰にはなお十分な圧力に保
持されるものである。
【００３０】
説明されている中間イオン貯蔵法は、ＲＦ四重極イオンガイドがＣトラップの様なパル
ス式抽出イオントラップの容量（３Ｅ＋６イオン）を遥かに超える１Ｅ＋８乃至１Ｅ＋９
イオンを保持することができるので、並はずれたイオン容量を提供する。抽出される連続
イオンビームの位相空間は、横断方向のビーム放射が約１−１０ｍｍ２ｍｅＶを生み軸方
向のエネルギーの広がりは１ｅＶ未満となることから、パルス式抽出イオンパケットのそ
れよりかなり小さくなる。パルス式トラップは、際立って広い横断方向放射（ＲＦトラッ
プ中の局在化したイオン雲の空間電荷反発に起因）と数百電子ボルトという軸方向のエネ
ルギーの広がりを発生させる。結果として、開示されているシステムは、イオン運動のよ
り優れた等時性、ひいてはより高い分解能力を有するＥトラップをもたらす。
【００３１】
新規な注入方法は、イオンミラーでの精密な電位のパルス化を避けており、それが更に
精度及び分解能力をもたらす。Ｅトラップ内での細長いイオンパケットの形成は、Ｅトラ
ップの電荷容量を拡大する。或る実施形では、Ｅトラップが２００ｍｍのキャップ間距離
と３００ｍｍのトロイダル直径を有していれば、イオン雲によって占められる空間は５０
，０００ｍｍ３と推定できる。１Ｅ＋４イオン／ｍｍ３の空間電荷閾値を仮定すると、代
表例のＥトラップの空間電荷容量は１Ｅ＋９イオン／注入と推定される。加えて、（ｍ／
ｚ）非依存性の長さを有する細長いイオンパケットの形成はＦＤＭ信号分析に適しており
、というのも、それは正弦波形を提供し、高調波を回避しているからである。開示されて
いる方法は、更に、信号分析にとって好都合であるイオン振動の精密な初期位相を組み込
んでいる。
【００３２】
説明されている装置及び方法には実行可能な多様な変形がある。或る実施形では、Ｅト
ラップは、中空円柱形Ｅトラップ（図１に示されている）であってもよいし又はＺエッジ
静電プラグを有する平面状Ｅトラップであってもよい。更に、Ｅトラップは、イオンミラ
ー、静電セクタ、それらの何れかの組合せ、従ってイオンミラーとセクタの両方の特徴を
有するハイブリッド電界、で形成されていてもよい。１つの例では、Ｅトラップは、半径
方向偏向電界を使用しながら、強力な軌道運動を可能にしている。
【００３３】
或る実施形では、中間イオン貯蔵トラップは、三次元ＲＦイオントラップ又は何れかの
形態のイオンガイドを備えていてもよい。例えば、それは、四重極、より高次の多重極イ
オンガイド、リング、チャネルＲＦイオンガイド、など、であってもよい。或る実施形で
は、イオンのトラッピング及び連続放出はＲＦバリア又はＤＣバリアによって支援されて
いてもよい。「ソフト」イオン放出は、小さい振幅でバリアをパルス化するか又はバリア
を緩やかに下降傾斜させるかの何れかで形成することができよう。ＩＣＰ源を越えた高強
度イオンビーム（例えば、１Ｅ＋１１イオン／秒）に関連して、イオンガイド段階を省略
し、イオンビームをイオン源１２から直接入来させてもよく、但し１乃至５％のデューテ
ィサイクルでということになろう（イオンビームは約１乃至５ｍｓの充填時間しか利用さ
れず、その上、ビームは信号捕捉時間中に失われる）。それでもなお、注入されるイオン
の数は、高いダイナミックレンジの信号分析にとって十分であり（１Ｅ＋６乃至１Ｅ＋７
と推定）、更にＥトラップの空間電荷容量にも見合っている。
【００３４】
Ｅトラップの中へのイオン注入は、パルス式操舵手段（図１に示されている）の支援を
受けた無電界空間を介するか、又はより低い電位を一時的に有するイオンミラーの部分を
介するか、又は平面状ＥトラップのＺエッジを介するか、の何れかにより整備することが
できる。
【００３５】
Ｅトラップに貯蔵されたイオンクラウドの「先鋭化」のために、多様な代わりの方法が
使用できるであろう。１つの代わりのやり方は、イオンを、パルス式でも（ｍ／ｚ）共鳴
でもよいが、Ｘ方向に励起して、限られた（ｍ／ｚ）スパン内での励起を提供する（例え
ば、スペクトルのデコーディングを簡略化するため）。別の代わりのやり方は、イオン貯
蔵空間を調節することであって、例えば、追加の減速用硬性ミラーによってイオンをより
短いＸ方向領域内にトラップし、次いでその様な追加の減速をオフに切り替え、イオンを
より長い分析トラッピング体積の中へ放出することによって、調節される。その様なミラ
ーは、Ｅトラップの中間平面に電極のセットとして配設されていてもよく、従って格子無
しミラーを形成していてもよい。前述の方法は、イオンを節約できることから好都合では
あろうが、機械的及び電気的な制約の結果としてより長いトラップの使用が必要となる。
【００３６】
電圧浮動配設は様々に異なっていてもよい。１つの代わりのやり方では、中間イオント
ラップは、ほぼ大地電位で提供されていてもよく、無電界空間は浮動させられてもよい。
そうすると、画像電流検出器を浮動させなくてはならず、それにより検出器上に追加の電
子ノイズが持ち込まれるかもしれない。別の代わりのやり方では、中間イオントラップは
、検出器を大地バイアスに維持しておくために、イオン注入に先立って一時的に浮動させ
られている。
【００３７】
図２を参照して、分析スループットを高めるために、新規な注入方法は多重化されたＥ
トラップと組み合わされてもよい。或る実施形では、静電トラッピング電界の複数の体積
２５が、同じ電極サンドイッチ２６内に、整列したスリットのセットを切り込むことによ
って配設されている。直線状のＥトラップのセットは、Ｚ方向にイオンをトラップするた
めのＺ静電プラグ２７を具備していてもよい。単一のイオン源２２が、複数のＲＦトラッ
ピング体積２３へ準連続イオンビームを供給する。或る実施形では、複数のＥトラップ間
でのイオン流れの連続的分配又はパルス式交互分配のどちらかのために、操舵用のセット
２４が採用されている。代わりに、複数のＥトラップの中への並行イオン注入のために、
複数のイオン源が採用されていてもよい。多重化配設は、分析のスピードとダイナミック
レンジを改善する。
【００３８】
好適な実施形態を参照しながら本発明を説明してきたが、形態及び詳細事項における様
々な修正が、付随の特許請求の範囲に述べられている本発明の範囲から逸脱することなく
なされ得ることが当業者には自明であろう。
【符号の説明】
【００３９】
１１  静電トラップ（Ｅトラップ）質量分析計
１２  連続イオン源
１３  蓄積のための高周波（ＲＦ）イオンガイド
１４  静電中空円柱形トラップ
１５  格子無しイオンミラー
１６  ドリフト空間、無電界領域
１７  操舵手段
１８  イオン運動を起こさせるための手段
１９  画像電流回路
２２  イオン源
２３  複数のＲＦトラッピング体積
２４  操舵セット
２５  複数の静電トラッピング電界体積
２６  電極サンドイッチ
２７  Ｚ静電プラグ
Ｔ  時間
α  Ｘ軸に対する傾斜角度
【図１】
0006280085.tif 000002
【図２】
0006280085.tif 000003